Podtech/llm-jp-corpus-v4-ja_patent huggingface dataset:
【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
ポールに取り付けられ、屋外環境を照らすように動作可能である１つ以上の照明デバイスと、
狭視野を有する光センサと、
前記光センサから出力される信号を受信する入力部を含むコントローラと、
を含み、
前記光センサに関連付けられる検知領域が、前記ポールの反射面に向けられ、前記反射面に反射した光のみを検出し、
前記コントローラは、
前記信号を受信することに応えて、前記反射面に反射した光の変化を検出することに基づいて、前記屋外環境における発光物体を検出し、
前記発光物体を検出することに応えて、前記１つ以上の照明デバイスを制御する、照明システム。
【請求項２】
前記１つ以上の照明デバイスと前記ポールとを含む屋外街路灯を更に含む、請求項１に記載の照明システム。
【請求項３】
前記コントローラは、前記信号の電圧レベルが、閾値電圧範囲を上回るか又は下回るかを決定し、前記決定に基づいて、前記反射面に反射する前記光の変化を検出する、請求項１又は２に記載の照明システム。
【請求項４】
前記コントローラは、前記信号に基づいて、前記光センサによって測定される光の量を導出し、前記光センサによって測定される前記光の量が、閾値光レベル範囲を上回るか又は下回るかを決定し、前記決定に基づいて、前記反射面に反射する前記光の変化を検出する、請求項１又は２に記載の照明システム。
【請求項５】
前記コントローラは更に、前記光センサから出力される前記信号に基づいて、前記照明用ポールと前記発光物体との間の分離距離を推定し、推定された前記分離距離に基づいて、前記１つ以上の照明デバイスを制御する、請求項１乃至４の何れか一項に記載の照明システム。
【請求項６】
前記コントローラは更に、前記光センサから出力される前記信号の勾配に基づいて、前記発光物体の速度を検出する、請求項１乃至５の何れか一項に記載の照明システム。
【請求項７】
前記コントローラは更に、検出された前記発光物体の速度に基づいて、前記１つ以上の照明デバイスを制御する、請求項６に記載の照明システム。
【請求項８】
前記コントローラは更に、検出された前記発光物体の速度を、リモートコンピュータデバイスに提供する、請求項６又は７に記載の照明システム。
【請求項９】
前記光センサは、前記光センサに関連付けられる前記検知領域が、前記ポールの前記反射面に向けられる向きに位置付けられ、前記光センサの向きは可変である、請求項１乃至８の何れか一項に記載の照明システム。
【請求項１０】
前記光センサに結合される向き制御手段を更に含み、前記向き制御手段は、前記光センサの前記向きを調節する、請求項９に記載の照明システム。
【請求項１１】
前記ポールは、前記ポールに取り付けられる反射材料で作られる少なくとも１つの部分を含む、請求項１乃至１０の何れか一項に記載の照明システム。
【請求項１２】
前記照明用ポールに組み込まれる１つ以上の追加のセンサを更に含み、前記コントローラは更に、前記１つ以上の追加のセンサから出力される信号を受信することに応えて、前記１つ以上の照明デバイスを制御する、請求項１乃至１１の何れか一項に記載の照明システム。
【請求項１３】
前記コントローラは更に、前記反射面上の光の分布の変化を検出することに基づいて、１日のうちの時刻を計算する、請求項１乃至１２の何れか１項に記載の照明システム。
【請求項１４】
前記コントローラは更に、前記反射面に反射した光の分布の変化を検出することに基づいて、前記光センサの向きを計算する、請求項１乃至１３の何れか１項に記載の照明システム。
【請求項１５】
ポールに取り付けられた１つ以上の照明デバイスの照明を制御する方法であって、前記１つ以上の照明デバイスは、屋外環境を照らすように動作可能であり、前記方法は、
狭視野を有する光センサから出力される信号を受信するステップであって、前記光センサに関連付けられる検知領域が、前記ポールの反射面に向けられ、前記反射面に反射した光のみを検出する、前記ステップと、
前記信号を受信することに応えて、前記反射面に反射した光の変化を検出することに基づいて、前記屋外環境における発光物体を検出するステップと、
前記発光物体を検出することに応えて、前記１つ以上の照明デバイスを制御するステップと、
を含む、方法。
【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
第１の領域に一般照明を提供する第１の照明ユニットと、
前記第１の領域内のより小さい第２の領域に方向性照明を提供する第２の照明ユニットと、
屋外の日光の強度及び／又は色特性を検出するセンサ装置と、
前記センサ装置の出力に依存して、前記第１の照明ユニット及び前記第２の照明ユニットを制御するコントローラと、
を含み、
前記コントローラは、前記屋外の日光の強度が検知される場合、前記一般照明と前記方向性照明との光強度コントラストを維持するか、及び／又は、前記屋外の日光の色特性が検知される場合、前記一般照明と前記方向性照明との色差を維持する、前記第１の領域における前記一般照明と、前記第２の領域における前記方向性照明との間の所定の関係を適用するようにする、照明システム。
【請求項２】
前記センサ装置は、屋外の日光の強度及び／又は色特性の検出用であり、前記所定の関係は、一般照明の強度と、前記第２の照明ユニットの出力の強度との比、及び／又は、前記一般照明の色特性と、前記第２の照明ユニットの出力の色特性との間のマッピングである、請求項１に記載の照明システム。
【請求項３】
前記コントローラは、前記比、並びに／又は、前記一般照明の強度及び／若しくは前記一般照明の色特性と、前記第２の照明ユニットの出力の強度及び／若しくは色特性との間のマッピングを、前記第２の照明ユニットの出力の前記強度及び／又は前記色特性が最大の強度及び／又は色特性を超えないことを保証しながら維持する、請求項２に記載の照明システム。
【請求項４】
前記マッピングは、高色温度の一般照明を、より低い色温度の方向性照明出力にマッピングすることと、低色温度の一般照明を、より高い色温度の方向性照明出力にマッピングすることとを含み、及び／又は、前記比は、前記第２の照明ユニットの出力の最大強度に達するまで維持され、達すると前記第２の照明ユニットは消灯される、請求項２に記載の照明システム。
【請求項５】
前記センサ装置は、前記第１の領域における前記一般照明の強度及び／又は色を検出する第２のセンサを更に含む、請求項１乃至４の何れか一項に記載の照明システム。
【請求項６】
前記第１の照明ユニット及び前記第２の照明ユニットは、それぞれ、制御可能な強度及び色温度を有するＬＥＤ装置を含む、請求項１乃至５の何れか一項に記載の照明システム。
【請求項７】
第１の照明ユニットを介して第１の領域に一般照明を提供するステップと、
第２の照明ユニットを介して前記第１の領域内のより小さい第２の領域に方向性照明を提供するステップと、
屋外の日光の強度及び／又は屋外の日光の色特性を検出するステップと、
前記屋外の日光の強度が検知される場合、前記一般照明と前記方向性照明との強度コントラストを維持するか、及び／又は、前記屋外の日光の色特性が検知される場合、前記一般照明と前記方向性照明との色コントラストを維持するように、前記第１の領域における前記一般照明と、前記第２の領域における前記方向性照明との間に所定の関係を適用することによって、センサ装置の出力に依存して、第１の照明ユニット及び第２の照明ユニットを制御するステップと、
を含む、照明方法。
【請求項８】
屋外の日光の強度及び／又は屋外の日光の色特性を検出するステップと、前記一般照明の強度と前記方向性照明の強度との比、及び／又は前記一般照明の色特性と、前記第２の照明ユニットの出力の色特性との間のマッピングが、前記方向性照明の強度及び／又は色特性が最大の強度及び／又は色特性を超えないことを保証しながら維持されるように、前記第１の照明ユニット及び前記第２の照明ユニットを制御するステップと、を含む、請求項７に記載の照明方法。
【請求項９】
前記マッピングは、高色温度の一般照明を、より低い色温度の方向性照明出力にマッピングするステップと、低色温度の一般照明を、より高い色温度の方向性照明出力にマッピングするステップと、を含む、請求項８に記載の照明方法。
【請求項１０】
前記検出するステップは、前記第１の領域における一般照明強度及び／又は色を検出するステップを更に含む、請求項７乃至９の何れか一項に記載の照明方法。
【請求項１１】
第１の領域に一般照明を提供する第１の照明ユニットと、前記第１の領域内のより小さい第２の領域に方向性照明を提供する第２の照明ユニットと、を含む、請求項１乃至６の何れか一項に記載の照明システムを制御するコントローラであって、
検出された一般照明の強度及び／又は色特性を受信する入力部を含み、前記一般照明の強度が検知される場合、前記一般照明と前記方向性照明との強度コントラストを維持するか、及び／又は、前記色特性が検知される場合、前記一般照明と前記方向性照明との色差を維持するように、前記第１の領域における前記一般照明と、前記第２の領域における前記方向性照明との間に所定の関係を適用することによって、センサ装置の出力である受信した前記検出された屋外の日光の強度及び／又は屋外の日光の色特性に依存して、前記第１の照明ユニット及び前記第２の照明ユニットを制御する、コントローラ。
【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
第１の方向に光を与える第１の制御可能な光源と、
第２の方向に光を与える第２の電気的に制御可能な光源と、
光学素子と、
エッジライト型導光体であって、その面上の外部結合パターン及び／又はその構造内に形成される散乱粒子若しくは散乱構造を含む、エッジライト型導光体と
を含む、照明システムであって、
前記光学素子が六角形セルのグリッドを含み、前記第１の制御可能な光源によって各セルの中央からの法線の両側において閾値角度内で放たれる光はセル壁を通過せず、且つ従って処理されないのに対し、前記法線の両側において前記閾値角度を上回る角度で放たれる光はセル壁を通過し、且つ適切に処理され、
前記第２の電気的に制御可能な光源が前記エッジライト型導光体に側面結合され、
前記エッジライト型導光体は、前記第１の制御可能な光源及び前記光学素子からの光が前記エッジライト型導光体に与えられ、前記エッジライト型導光体の深さ寸法に沿って前記エッジライト型導光体を通過し、前記第１の制御可能な光源によって放射される光のかなりの部分が散乱又は拡散されないようにし、
前記第２の電気的に制御可能な光源によって与えられる光の少なくとも一部が前記第１の方向に出力され、且つ前記第１の制御可能な光源によって与えられる光と混合されるように、前記エッジライト型導光体が前記第２の電気的に制御可能な光源によって与えられる光を拡散する、照明システム。
【請求項２】
前記六角形セルのグリッドが、前記第１の制御可能な光源によって垂直方向に、即ち光射出窓の面に対して直角に放たれる光と、前記第１の制御可能な光源によって前記法線に対して或る角度で放たれる光との間で制御可能な色の相違をもたらす、請求項１に記載の照明システム。
【請求項３】
前記第１の制御可能な光源が前記光学素子と面結合され、前記第２の電気的に制御可能な光源が前記エッジライト型導光体と側面結合される、請求項１又は２に記載の照明システム。
【請求項４】
前記第１の制御可能な光源が、強度を制御できる光源である、請求項１乃至３の何れか一項に記載の照明システム。
【請求項５】
前記第２の電気的に制御可能な光源が、
強度を制御できる光源、
色を制御できる光源
の少なくとも１つである、請求項１乃至４の何れか一項に記載の照明システム。
【請求項６】
前記第２の電気的に制御可能な光源が、前記エッジライト型導光体の外縁の少なくとも一部上に配置される選択可能発光素子のアレイを含む、請求項１乃至５の何れか一項に記載の照明システム。
【請求項７】
前記エッジライト型導光体の前記外縁の前記少なくとも一部上に配置される前記選択可能発光素子のアレイが、空間的に制御可能な光源を提供する、請求項６に記載の照明システム。
【請求項８】
前記選択可能発光素子が、少なくとも２つの選択可能なコリメート光ビームを発生させ、前記エッジライト型導光体は、光拡散粒子の少なくとも２つのそれぞれの領域を含み、前記光拡散粒子の領域は既定の形式で形作られ、前記照明システムは、前記第１の制御可能な光源によって与えられる光と混合される前記第２の電気的に制御可能な光源によって与えられる光に基づいて照明形状を既定の形式で発生させる、請求項６及び７に記載の照明システム。
【請求項９】
前記エッジライト型導光体が、少なくとも２層のエッジライト型導光体を含み、前記少なくとも２層のエッジライト型導光体は、既定の形式で形作られた光拡散粒子の少なくとも１つのそれぞれの領域を含み、前記第２の電気的に制御可能な光源は、少なくとも２層の選択可能発光素子を含み、前記少なくとも２層の選択可能発光素子の選択的な活性化が前記形状の１つを既定の形式で選択的に照らすように、選択可能発光素子のそれぞれの層が前記エッジライト型導光体の関連する層の外縁の少なくとも一部上に配置される、請求項１乃至８の何れか一項に記載の照明システム。
【請求項１０】
前記光拡散粒子のそれぞれの少なくとも１つの領域が前記第１の方向に重複する、請求項９に記載の照明システム。
【請求項１１】
前記第１の方向に光を与える前記第１の制御可能な光源と、前記第２の方向に光を与える前記第２の電気的に制御可能な光源とを制御するコントローラを更に含む、請求項１乃至１０の何れか一項に記載の照明システム。
【請求項１２】
第１の制御可能な光を第１の方向に与えるステップと、
第２の電気的に制御可能な光を第２の方向に与えるステップと、
前記第２の電気的に制御可能な光の少なくとも一部が前記第１の制御可能な光と混合されて前記第１の方向に出力されるように、前記第２の電気的に制御可能な光を拡散する光拡散粒子の少なくとも１つの領域を含むエッジライト型導光体に、前記第２の方向における前記第２の電気的に制御可能な光を与えるステップと
を含む、照明システムを提供するための方法。
【請求項１３】
前記第２の電気的に制御可能な光を与えるステップが、前記エッジライト型導光体の外縁の少なくとも一部上に配置される選択可能発光素子のアレイから少なくとも１つの発光素子を選択的に活性化するステップを含む、請求項１２に記載の方法。
【請求項１４】
前記エッジライト型導光体の外縁の少なくとも一部上に配置される選択可能発光素子のアレイから少なくとも１つの発光素子を選択的に活性化するステップが、光拡散粒子の少なくとも２つのそれぞれの領域の少なくとも１つを選択的に照らすステップを含み、前記光拡散粒子の領域は既定の形式で形作られる、請求項１３に記載の方法。
【請求項１５】
コンピュータプログラムを含む非一時的コンピュータ可読媒体であって、照明システムに結合される物理的計算装置上で前記コンピュータプログラムが実行される場合に、請求項１２乃至１４に記載の方法の全ステップを実行するために前記照明システムを制御するコンピュータプログラムコード手段を含む、非一時的コンピュータ可読媒体。
【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
ターゲットの照明を行う方法であって、前記方法は、
無線通信モジュールを含む画像記録デバイスを使用して、前記画像記録デバイスに対して第１の距離内に位置する１つ又は複数の照明ユニットを選択するステップであって、各照明ユニットは、複数の照明効果の１つ又は複数を有する光を発することが可能なＬＥＤベース光源を含む、選択するステップと、
前記画像記録デバイスが画像を取得するか、又はビデオを記録する際に、前記複数の照明効果の１つ又は複数を用いてターゲットの照明を行う要求を、選択された照明ユニットの１つ又は複数に前記無線通信モジュールを介して通信するステップとを含み、
前記選択するステップは、前記画像記録デバイスが、前記第１の距離内に位置する照明ユニットによって受信された信号を一斉送信するステップ、前記照明ユニットのうちの１つ又は複数からの１つ又は複数の応答を受信するステップ、及び前記１つ又は複数の照明ユニットを前記ターゲットに関連して位置決めするステップを含む、
方法。
【請求項２】
各照明ユニットは、無線通信モジュールを更に含む、請求項１に記載の方法。
【請求項３】
前記照明ユニットは、前記無線通信モジュールを介してネットワークに接続され、前記通信するステップは、前記ネットワークを介した通信を含む、請求項２に記載の方法。
【請求項４】
前記画像記録デバイスは、周囲光のパラメータを決定するセンサを更に含む、請求項１に記載の方法。
【請求項５】
前記画像記録デバイスは、前記複数の照明効果の１つ又は複数に関してユーザからデータを取得するユーザインタフェースを更に含む、請求項１に記載の方法。
【請求項６】
前記画像記録デバイスが画像を取得するか、又はビデオを記録する際に、前記複数の照明効果の１つ又は複数を用いてターゲットの照明を行う要求に関して、前記ユーザインタフェースを介してユーザからデータを取得するステップを更に含む、請求項５に記載の方法。
【請求項７】
ターゲットの画像を取得するか、又はターゲットのビデオを記録する画像記録デバイスであって、無線通信モジュール、プロセッサ、及び前記プロセッサによって実行可能な命令の組を含む非一時的コンピュータ可読ストレージ媒体を含み、
前記命令の組は、少なくとも、
前記無線通信モジュールを使用して、前記画像記録デバイスから第１の距離内に位置する１つ又は複数の照明ユニットであって、複数の照明効果の１つ又は複数を有する光を発することが可能なＬＥＤベース光源を含む、１つ又は複数の照明ユニットを選択することと、
前記画像記録デバイスが画像を取得するか、又はビデオを記録する際に、前記複数の照明効果の１つ又は複数を用いてターゲットの照明を行う要求を、選択された照明ユニットの１つ又は複数に通信するように前記無線通信モジュールに指示させることとを可能とし、
前記選択することは、前記画像記録デバイスが、前記第１の距離内に位置する照明ユニットによって受信された信号を一斉送信すること、前記照明ユニットのうちの１つ又は複数から１つ又は複数の応答を受信すること、及び前記１つ又は複数の照明ユニットを前記ターゲットに関連して位置決めすることを含む、
画像記録デバイス。
【請求項８】
各照明ユニットは、無線通信モジュールを更に含む、請求項７に記載の画像記録デバイス。
【請求項９】
前記画像記録デバイスは、周囲光のパラメータを決定するセンサを更に含む、請求項７に記載の画像記録デバイス。
【請求項１０】
前記複数の照明効果の１つ又は複数を用いてターゲットの照明を行う要求は、決定された前記パラメータに少なくとも部分的に基づく、請求項９に記載の画像記録デバイス。
【請求項１１】
前記複数の照明効果の１つ又は複数を用いてターゲットの照明を行う要求は、ユーザから取得されたデータに少なくとも部分的に基づく、請求項７に記載の画像記録デバイス。
【請求項１２】
ターゲットの照明を行う照明システムであって、複数の照明効果の１つ又は複数を有する光を発することが可能なＬＥＤベース光源、通信モジュール、及び前記通信モジュールと前記ＬＥＤベース光源との間に動作可能に接続されたコントローラを含む照明ユニットを含み、前記照明ユニットは、無線通信モジュールを介してネットワークに接続され、
前記照明システムは、無線通信モジュールを含む画像記録デバイスを更に含み、
前記画像記録デバイスは、前記画像記録デバイスが画像を記録する際に、複数の照明効果の１つ又は複数を用いてターゲットの照明を行う要求を照明ユニット通信モジュールに無線で送信するようにプログラムされ、前記コントローラは、前記要求に応答して、１つ又は複数の照明効果を発するように前記ＬＥＤベース光源に指示し、
前記画像記録デバイスは、複数のネットワーク化された照明ユニットから少なくとも前記照明ユニットを選択し、
当該選択することは、前記画像記録デバイスが、第１の距離内に位置する照明ユニットによって受信された信号を一斉送信すること、前記照明ユニットのうちの１つ又は複数から１つ又は複数の応答を受信すること、及び前記１つ又は複数の照明ユニットをターゲットに関連して位置決めすることを含む、照明システム。
【請求項１３】
前記ターゲットの照明を行う前記要求は、少なくとも部分的に前記ネットワークを介して送信され、前記要求は、決定されたパラメータに少なくとも部分的に基づいている、請求項１２に記載の照明システム。
【請求項１４】
前記照明ユニットは、個々にアドレス指定可能である、請求項１２に記載の照明システム。
【請求項１５】
前記画像記録デバイスは、周囲光のパラメータを決定するセンサを更に含む、請求項１２に記載の照明システム。
【手続補正書】
【提出日】平成30年2月14日(2018.2.14)
【手続補正１】
【補正対象書類名】特許請求の範囲
【補正対象項目名】全文
【補正方法】変更
【補正の内容】
【特許請求の範囲】
【請求項１】
レーザダイオードデバイスを製造する方法であって、
表面領域を有する基板を提供することと、
前記表面領域を被覆するエピタキシャル材料を形成することであって、前記エピタキシャル材料は、犠牲領域、ｎ型クラッディング領域、前記ｎ型クラッディング領域を被覆する１つ以上の活性層を含む活性領域、および前記活性層の領域を被覆するｐ型クラッディング領域を含む、ことと、
前記エピタキシャル材料をパターニングして複数のエピタキシャルダイスを形成することであって、前記エピタキシャルダイスの各々は、１つ以上のレーザダイオードデバイスに対応する、ことと、
前記複数のエピタキシャルダイスの少なくとも一部を、前記犠牲領域の選択的なエッチングにより、前記基板からキャリアウェーハに移動させ、移動された前記エピタキシャルダイスを前記基板から分離して、移動された前記エピタキシャルダイスを前記キャリアウェーハに選択的に結合し、
その後、移動された前記エピタキシャルダイスを前記キャリアウェーハ上で処理して前記レーザダイオードデバイスを形成することであって、前記処理には、前記エピタキシャルダイスの各々で少なくとも一つのレーザーリッジを形成することを含む、
レーザダイオードデバイスを製造する方法。
【請求項２】
前記基板上に形成された前記複数のエピタキシャルダイスは、隣接するエピタキシャルダイスの各対の間の第１のピッチによって特徴づけられ、前記第１のピッチは設計幅未満であり、
移動された前記エピタキシャルダイスは、隣接するエピタキシャルダイスの各対の間の第２のピッチによって特徴づけられ、前記第２のピッチは、前記第１のピッチよりも大きく、前記設計幅に対応している、請求項１に記載の方法。
【請求項３】
前記エピタキシャルダイスのそれぞれは、メサとして形状づけられ、前記第１のピッチは、１μｍと１０μｍの間、又は１０ミクロンと５０ミクロンの間、又は５０μｍと１００μｍの間であり、
前記パターニングはエッチングプロセスを含み、
第２のピッチは、５０ミクロンと２００ミクロンの間、又は２００ミクロンと５００ミクロンの間、又は５００ミクロンと１０００ミクロンの間、または１０００ミクロンより大きく、
前記方法は、更に、前記エピタキシャルダイスのそれぞれに少なくとも１つのレーザダイオードデバイスを形成するように、前記移動されたエピタキシャルダイスを処理することを更に備える、請求項１に記載の方法。
【請求項４】
前記エピタキシャル材料は、ＧａＮ、ＡｌＮ、ＩｎＮ、ＩｎＧａＮ、ＡｌＧａＮ、ＩｎＡｌＮ、ＩｎＡｌＧａＮ、ＡｌＡｓ、ＧａＡｓ、ＧａＰ、ＩｎＰ、ＡｌＰ、ＡｌＧａＡｓ、ＡｌＩｎＡｓ、ＩｎＧａＡｓ、ＡｌＧａＰ、ＡｌＩｎＰ、ＩｎＧａＰ、ＡｌＩｎＧａＰ、ＡｌＩｎＧａＡｓ、又はＡｌＩｎＧａＡｓＰのうち少なくとも１つを含む、請求項１に記載の方法。
【請求項５】
前記移動は、前記キャリアウェーハに移動された前記エピタキシャルダイス各々との選択的な接合を含み、前記移動されたエピタキシャルダイス各々は、複数の接合の一つにより前記キャリアウェーハ上の接合パッドと結合され、前記複数の接合各々は、金属−金属対、酸化物−酸化物対、スピンオンガラス、はんだ合金、ポリマー、フォトレジストまたはワックスのうちの少なくとも一つであり、前記エピタキシャル材料の一部は、前記犠牲領域の選択的エッチング後においてそのままである、請求項１に記載の方法。
【請求項６】
前記エピタキシャル材料は、ＧａＮ、ＡｌＮ、ＩｎＮ、ＩｎＧａＮ、ＡｌＧａＮ、ＩｎＡｌＮ、ＩｎＡｌＧａＮのうち少なくとも１つを含み、前記選択的エッチングは、前記犠牲領域のバンドギャップ選択的光電化学（ＰＥＣ）エッチングを用いる、請求項１に記載の方法。
【請求項７】
前記エピタキシャル材料は、ＡｌＡｓ、ＧａＡｓ、ＧａＰ、ＩｎＰ、ＡｌＰ、ＡｌＧａＡｓ、ＡｌＩｎＡｓ、ＩｎＧａＡｓ、ＡｌＧａＰ、ＡｌＩｎＰ、ＩｎＧａＰ、ＡｌＩｎＧａＰ、ＡｌＩｎＧａＡｓ又はＡｌＩｎＧａＡｓＰのうち少なくとも１つを含み、前記選択的エッチングは、前記犠牲領域の組成的に選択的なウェットエッチングを用いる、請求項１に記載の方法。
【請求項８】
前記選択的エッチングは、前記選択的接合の間、前記エピタキシャルダイスを支持するようにアンカー領域を無傷のまま放置しつつ、前記犠牲領域を選択的に除去し、前記アンカー領域は前記選択的接合の後に分離する、請求項１に記載の方法。
【請求項９】
前記エピタキシャルダイスの各々は、１つ以上のコンポーネントを含み、前記１つ以上のコンポーネントは、電気接点、電流が流れる領域、光学的クラッディング領域、レーザリッジ、レーザリッジパッシベーション、または一対のファセットの一つ又はいずれかの組合せのうち少なくとも１つから選択され、
前記レーザダイオードデバイスは、ガリウムおよび窒素を含有する、紫色、青色または緑色を放出するレーザダイオードデバイスであるか、または前記レーザダイオードデバイスは、ガリウムおよびヒ素を含有するレーザダイオードデバイスである、請求項１の方法。
【請求項１０】
前記レーザダイオードデバイスは、赤色レーザダイオード、緑色レーザダイオードおよび青色レーザダイオードを含むＲＧＢデバイスである、請求項１の方法。
【請求項１１】
レーザダイオードデバイスの中間構造であって、
キャリア基板と、
１つ以上のエピタキシャル構造と、
前記キャリア基板に前記１つ以上のエピタキシャル構造を結合するための、前記１つ以上のエピタキシャル構造各々と前記キャリア基板との間の結合材料と、を備え、
前記１つ以上のエピタキシャル構造の各々は、犠牲領域、ｎ型クラッド領域、少なくとも一つの活性層を有する活性領域、ｐ型クラッド領域を有し、前記結合材料は、前記キャリア基板に前記１つ以上のエピタキシャル構造を結合するために、前記１つ以上のエピタキシャル構造の各々の底面に沿って前記ｐ型クラッド領域に接し、前記犠牲領域及び前記ｎ型クラッド領域は、前記１つ以上のエピタキシャル構造各々の上面に沿って露出し、前記犠牲領域は、前記上面の中央部を覆い、前記ｎ型クラッド領域は前記上面の前記犠牲領域を囲んでいる、レーザダイオードデバイスの中間構造。
【請求項１２】
前記１つ以上のエピタキシャル構造は、ＧａＮ、ＡｌＮ、ＩｎＮ、ＩｎＧａＮ、ＡｌＧａＮ、ＩｎＡｌＮ、ＩｎＡｌＧａＮのうち少なくとも１つ、またはＡｌＡｓ、ＧａＡｓ、ＧａＰ、ＩｎＰ、Ａ１Ｐ、ＡｌＧａＡｓ、ＡｌＩｎＡｓ、ＩｎＧａＡｓ、ＡｌＧａＰ、ＡｌＩｎＰ、ＩｎＧａＰ、ＡｌＩｎＧａＰ、ＡｌＩｎＧａＡｓおよびＡｌＩｎＧａＡｓＰのうち１つ以上を含み、前記キャリア基板は、単結晶シリコン、多結晶シリコン、サファイアまたは多結晶アルミニウム窒化物、ヒ化ガリウム、窒化ガリウム、炭化ケイ素、アルミニウム窒化物、酸化ベリリウム、金、銀、銅またはグラファイト、カーボンナノチューブまたはグラフェン又はそれらの複合材料のうち少なくとも１つを含む、請求項１１に記載の中間構造。
【請求項１３】
接合パッドは、前記１つ以上のエピタキシャル構造横の前記キャリア基板に配置される、請求項１１に記載の中間構造。
【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
単離された細胞の標的配列に外因性配列を組み込む方法であって、（ｉ）前記標的配列を切断する１つまたは複数のヌクレアーゼ、および（ｉｉ）前記１つまたは複数のヌクレアーゼによる前記標的配列の切断後に前記標的配列に組み込まれる１つまたは複数のドナー配列を前記細胞に逐次的に投与するステップを含み、前記逐次的投与の間に少なくとも２４時間の遅延がある、方法。
【請求項２】
前記逐次的投与の間の前記遅延が、２４時間〜７２時間の間である、請求項１に記載の方法。
【請求項３】
前記１つまたは複数のヌクレアーゼが、前記１つまたは複数のドナー配列の前に投与される、請求項１または２に記載の方法。
【請求項４】
前記１つまたは複数のドナー配列が、前記１つまたは複数のヌクレアーゼの前に投与される、請求項１または２に記載の方法。
【請求項５】
前記１つまたは複数のヌクレアーゼが、メガヌクレアーゼ、ジンクフィンガーヌクレアーゼ（ＺＦＮ）、ＴＡＬＥ−ヌクレアーゼ（ＴＡＬＥＮ）またはＣＲＩＳＰＲ／Ｃａｓヌクレアーゼ系を含む、請求項１から４のいずれかに記載の方法。
【請求項６】
前記１つまたは複数のヌクレアーゼが、ニッカーゼである、請求項５に記載の方法。
【請求項７】
前記１つもしくは複数のヌクレアーゼおよび／または前記１つもしくは複数のドナー配列が、プラスミド、ウイルスベクターを使用して、またはＲＮＡ、ミニサークルもしくは線状ＤＮＡ形態で投与される、請求項１から６のいずれかに記載の方法。
【請求項８】
前記１つもしくは複数のヌクレアーゼおよび／または前記１つもしくは複数のドナー配列が、ウイルスベクターを使用して投与される、請求項３に記載の方法。
【請求項９】
前記ウイルスベクターが、ＡＡＶベクターである、請求項８に記載の方法。
【請求項１０】
前記１つまたは複数のヌクレアーゼが、ＲＮＡとして投与される、請求項４に記載の方法。
【請求項１１】
前記ＲＮＡが、ｍＲＮＡである、請求項１０に記載の方法。
【請求項１２】
前記１つまたは複数のドナー配列が、少なくとも１つのタンパク質産物を発現する、請求項１から１１のいずれかに記載の方法。
【請求項１３】
前記タンパク質産物が、障害において非機能性である、欠損している、または異常に発現されるタンパク質の機能性バージョンである、請求項１２に記載の方法。
【請求項１４】
前記標的配列が、内因性遺伝子座である、請求項１から１３のいずれかに記載の方法。
【請求項１５】
前記内因性遺伝子座が、セーフハーバー遺伝子座である、請求項１４に記載の方法。
【請求項１６】
被験体において欠如または欠損している機能性タンパク質を提供するための組成物であって、前記組成物は１つまたは複数のドナー配列を含み、前記組成物は、請求項１３に記載の方法に従って前記１つまたは複数のドナー配列を単離された細胞に組み込むステップ、および前記単離された細胞を前記被験体に投与するステップを含む方法において使用されることを特徴とする、組成物。
【請求項１７】
前記細胞が幹細胞である、請求項１６に記載の組成物。
【請求項１８】
被験体において欠如または欠損している機能性タンパク質を提供するための組成物であって、前記組成物は１つまたは複数のドナー配列を含み、前記組成物は、請求項１３に記載の方法に従って前記１つまたは複数のドナー配列を前記被験体の細胞に組み込むのに使用されることを特徴とする、組成物。
【手続補正２】
【補正対象書類名】明細書
【補正対象項目名】００２８
【補正方法】変更
【補正の内容】
【００２８】
これらの態様および他の態様は、全体としての本開示を考慮することにより当業者には容易に明らかとなる。
本発明の実施形態において、例えば以下の項目が提供される。
（項目１）
単離された細胞の標的配列に外因性配列を組み込む方法であって、（ｉ）前記標的配列を切断する１つまたは複数のヌクレアーゼ、および（ｉｉ）前記１つまたは複数のヌクレアーゼによる前記標的配列の切断後に前記標的配列に組み込まれる１つまたは複数のドナー配列を逐次的に投与するステップを含み、前記逐次的投与の間に少なくとも２４時間の遅延がある、方法。
（項目２）
前記逐次的投与の間の前記遅延が、２４時間〜７２時間の間である、項目１に記載の方法。
（項目３）
前記１つまたは複数のヌクレアーゼが、前記１つまたは複数のドナー配列の前に投与される、項目１または２に記載の方法。
（項目４）
前記１つまたは複数のドナー配列が、前記１つまたは複数のヌクレアーゼの前に投与される、項目１または２に記載の方法。
（項目５）
前記１つまたは複数のヌクレアーゼが、メガヌクレアーゼ、ジンクフィンガーヌクレアーゼ（ＺＦＮ）、ＴＡＬＥ−ヌクレアーゼ（ＴＡＬＥＮ）またはＣＲＩＳＰＲ／Ｃａｓヌクレアーゼ系を含む、項目１から４のいずれかに記載の方法。
（項目６）
前記１つまたは複数のヌクレアーゼが、ニッカーゼである、項目５に記載の方法。
（項目７）
前記１つもしくは複数のヌクレアーゼおよび／または前記１つもしくは複数のドナー配列が、プラスミド、ウイルスベクターを使用して、またはＲＮＡ、ミニサークルもしくは線状ＤＮＡ形態で投与される、項目１から６のいずれかに記載の方法。
（項目８）
前記１つもしくは複数のヌクレアーゼおよび／または前記１つもしくは複数のドナー配列が、ウイルスベクターを使用して投与される、項目３に記載の方法。
（項目９）
前記ウイルスベクターが、ＡＡＶベクターである、項目８に記載の方法。
（項目１０）
前記１つまたは複数のヌクレアーゼが、ＲＮＡとして投与される、項目４に記載の方法。
（項目１１）
前記ＲＮＡが、ｍＲＮＡである、項目１０に記載の方法。
（項目１２）
前記１つまたは複数のドナー配列が、少なくとも１つのタンパク質産物を発現する、項目１から１１のいずれかに記載の方法。
（項目１３）
前記タンパク質産物が、障害において非機能性である、欠損している、または異常に発現されるタンパク質の機能性バージョンである、項目１２に記載の方法。
（項目１４）
前記標的配列が、内因性遺伝子座である、項目１から１３のいずれかに記載の方法。
（項目１５）
前記内因性遺伝子座が、セーフハーバー遺伝子座である、項目１４に記載の方法。
（項目１６）
被験体において欠如または欠損している機能性タンパク質を提供する方法であって、項目１３に記載の方法に従って１つまたは複数のドナー配列を、単離された細胞に組み込むステップ、および前記単離された細胞を前記被験体に投与するステップを含む、方法。
（項目１７）
前記細胞が幹細胞である、項目１６に記載の方法。
（項目１８）
被験体において欠如または欠損している機能性タンパク質を提供する方法であって、項目１３に記載の方法に従って１つまたは複数のドナー配列を、前記被験体の細胞に組み込むステップを含む、方法。
【手続補正書】
【提出日】平成30年2月1日(2018.2.1)
【手続補正１】
【補正対象書類名】特許請求の範囲
【補正対象項目名】全文
【補正方法】変更
【補正の内容】
【特許請求の範囲】
【請求項１】
第1のサブスクリプションに関連する第1の加入者識別モジュール(SIM)と、第2のサブスクリプションに関連する第2のSIMとを含むユーザ機器(UE)において動作可能なワイヤレス通信の方法であって、
前記第1のサブスクリプションに関連する第1のネットワークからシグナリング無線ベアラ(SRB)メッセージの少なくとも1つのプロトコルデータユニット(PDU)を受信することを含むロングタームエボリューション(LTE)シグナリングプロシージャを実行するステップと、
前記少なくとも1つの受信されたPDUに基づいて前記SRBメッセージのメッセージタイプを決定するステップと、
前記SRBメッセージがシグナリング非クリティカルメッセージを含むことを前記メッセージタイプが示す場合、前記LTEシグナリングプロシージャが完了する前に、前記第2のサブスクリプションに関連する第2のネットワークと通信するためにチューンアウェイプロシージャを実行するステップと
を含む、方法。
【請求項２】
前記シグナリング非クリティカルメッセージが、測定制御メッセージまたは測定報告メッセージのうちの少なくとも一方を含む、請求項1に記載の方法。
【請求項３】
前記チューンアウェイプロシージャが、
前記第2のネットワークからページング情報を受信するために前記第2のネットワークにチューンアウェイすること
を含む、請求項1に記載の方法。
【請求項４】
前記チューンアウェイプロシージャが、
SRBメッセージのSRB応答に関する確認応答が前記ネットワークから受信されず、前記確認応答の再送信数が所定の値よりも少ない場合、前記第2のネットワークからページング情報を受信するために前記第2のネットワークにチューンアウェイすること
を含む、請求項1に記載の方法。
【請求項５】
前記SRBメッセージがシグナリングクリティカルメッセージを含む場合、前記LTEシグナリングプロシージャが継続している間、前記チューンアウェイプロシージャを実行することを回避するステップ
をさらに含む、請求項1に記載の方法。
【請求項６】
前記シグナリングクリティカルメッセージが、無線ベアラ再構成メッセージ、トランスポートチャネル再構成メッセージ、物理チャネル再構成メッセージ、アクティブセット更新メッセージ、セル更新メッセージ、または登録エリア更新メッセージのうちの少なくとも1つを含む、請求項5に記載の方法。
【請求項７】
前記SRBメッセージの前記メッセージタイプを決定するステップが、
前記SRBメッセージの前記少なくとも1つのPDUを構文解析することと、
前記SRBメッセージの前記メッセージタイプに対応する前記少なくとも1つのPDUのビットフィールドを位置特定することと
を含む、請求項1に記載の方法。
【請求項８】
第1のサブスクリプションに関連する第1の加入者識別モジュール(SIM)と、第2のサブスクリプションに関連する第2のSIMとを含むマルチSIMユーザ機器(UE)であって、
前記第1のサブスクリプションに関連する第1のネットワークからシグナリング無線ベアラ(SRB)メッセージの少なくとも1つのプロトコルデータユニット(PDU)を受信することを含むロングタームエボリューション(LTE)シグナリングプロシージャを実行するための手段と、
前記少なくとも1つの受信されたPDUに基づいて前記SRBメッセージのメッセージタイプを決定するための手段と、
前記SRBメッセージがシグナリング非クリティカルメッセージを含むことを前記メッセージタイプが示す場合、前記LTEシグナリングプロシージャが完了する前に、前記第2のサブスクリプションに関連する第2のネットワークと通信するためにチューンアウェイプロシージャを実行するための手段と
を含む、マルチSIMユーザ機器(UE)。
【請求項９】
前記シグナリング非クリティカルメッセージが、測定制御メッセージまたは測定報告メッセージのうちの少なくとも一方を含む、請求項8に記載のマルチSIM UE。
【請求項１０】
前記チューンアウェイプロシージャが、
前記第2のネットワークからページング情報を受信するために前記第2のネットワークにチューンアウェイすること
を含む、請求項8に記載のマルチSIM UE。
【請求項１１】
前記チューンアウェイプロシージャが、
SRBメッセージのSRB応答に関する確認応答が前記ネットワークから受信されず、前記確認応答の再送信数が所定の値よりも少ない場合、前記第2のネットワークからページング情報を受信するために前記第2のネットワークにチューンアウェイすること
を含む、請求項8に記載のマルチSIM UE。
【請求項１２】
前記SRBメッセージがシグナリングクリティカルメッセージを含む場合、前記LTEシグナリングプロシージャが継続している間、前記チューンアウェイプロシージャを実行することを回避するための手段
をさらに含む、請求項8に記載のマルチSIM UE。
【請求項１３】
前記シグナリングクリティカルメッセージが、無線ベアラ再構成メッセージ、トランスポートチャネル再構成メッセージ、物理チャネル再構成メッセージ、アクティブセット更新メッセージ、セル更新メッセージ、または登録エリア更新メッセージのうちの少なくとも1つを含む、請求項12に記載のマルチSIM UE。
【請求項１４】
前記SRBメッセージの前記メッセージタイプを決定するための前記手段が、
前記SRBメッセージの前記少なくとも1つのPDUを構文解析することと、
前記SRBメッセージの前記メッセージタイプに対応する前記少なくとも1つのPDUのビットフィールドを位置特定することと
を行うように構成される、請求項8に記載のマルチSIM UE。
【請求項１５】
請求項1乃至7のいずれか1項に記載の方法を実行するためのコードを記憶したコンピュータ可読記憶媒体。
【手続補正書】
【提出日】平成30年1月24日(2018.1.24)
【手続補正１】
【補正対象書類名】特許請求の範囲
【補正対象項目名】全文
【補正方法】変更
【補正の内容】
【特許請求の範囲】
【請求項１】
ワイヤレス通信のためのユーザ機器(UE)の無線リソース制御(RRC)状態を遷移させる方法であって、
前記UEが前記RRC状態のうちのセル専用チャネル(CELL_DCH)状態にある間に、ネットワークから再構成メッセージを受信するステップであって、前記再構成メッセージは、前記UEを、前記RCC状態のうちの前記CELL_DCH状態から非専用チャネル状態に遷移させるように構成される、ステップと、
前記UEを、前記RRC状態のうちの前記CELL_DCH状態から、前記RRC状態のうちの前記非専用チャネル状態に遷移させる、前記受信された再構成メッセージに応答して、複数の肯定応答手順をアップリンク上で前記ネットワークに送るステップとを含み、
前記複数の肯定応答手順の数は、前記UEの以前のRRC状態遷移に少なくとも基づいて判断され、
前記複数の肯定応答手順の各々は状況パケットデータユニットを含み、前記状況パケットデータユニットは、前記ネットワークからの前記受信された再構成メッセージの肯定応答情報を含む、方法。
【請求項２】
前記再構成メッセージは無線ベアラ再構成メッセージであり、前記RRC状態のうちの前記非専用チャネル状態は、前記RRC状態のうちのセルフォワードアクセスチャネル状態である、請求項1に記載の方法。
【請求項３】
複数の肯定応答手順をアップリンク上で前記ネットワークに送るステップは、前記UEの速度および前記UEの現在サービング中のセルの搬送周波数に基づいて決定されるコヒーレンス時間に基づいて、前記複数の肯定応答手順を前記アップリンク上で前記ネットワークに送るステップを含む、請求項1に記載の方法。
【請求項４】
前記複数の肯定応答手順の数は、推定アップリンクブロックエラーレートに少なくとも基づいて判断される、請求項1に記載の方法。
【請求項５】
前記ネットワークは高速パケットアクセスタイプシステムを含む、請求項1に記載の方法。
【請求項６】
ワイヤレス通信のためのユーザ機器(UE)の無線リソース制御(RRC)状態を遷移させるための装置であって、
前記UEが前記RRC状態のうちのセル専用チャネル(CELL_DCH)状態にある間に、ネットワークから再構成メッセージを受信するための手段であって、前記再構成メッセージは、前記UEを、前記RCC状態のうちの前記CELL_DCH状態から非専用チャネル状態に遷移させるように構成される、手段と、
前記UEを、前記RRC状態のうちの前記CELL_DCH状態から、前記RRC状態のうちの前記非専用チャネル状態に遷移させる、前記受信された再構成メッセージに応答して、複数の肯定応答手順をアップリンク上で前記ネットワークに送るための手段とを備え、
前記複数の肯定応答手順の数は、前記UEの以前のRRC状態遷移に少なくとも基づいて判断され、
前記複数の肯定応答手順の各々は状況パケットデータユニットを含み、前記状況パケットデータユニットは、前記ネットワークからの前記受信された再構成メッセージの肯定応答情報を含む、装置。
【請求項７】
前記再構成メッセージは無線ベアラ再構成メッセージであり、前記RRC状態のうちの前記非専用チャネル状態は、前記RRC状態のうちのセルフォワードアクセスチャネル状態である、請求項6に記載の装置。
【請求項８】
複数の肯定応答手順をアップリンク上で前記ネットワークに送るための前記手段は、前記UEの速度および前記UEの現在サービング中のセルの搬送周波数に基づいて決定されるコヒーレンス時間に基づいて、前記複数の肯定応答手順を前記アップリンク上で前記ネットワークに送るための手段を備える、請求項6に記載の装置。
【請求項９】
前記複数の肯定応答手順の数は、推定アップリンクブロックエラーレートに少なくとも基づいて判断される、請求項6に記載の装置。
【請求項１０】
前記ネットワークは高速パケットアクセスタイプシステムを含む、請求項6に記載の装置。
【請求項１１】
コンピュータ実行可能コードを記憶しているコンピュータ可読記憶媒体であって、
ユーザ機器(UE)が、無線リソース制御(RRC)状態のうちのセル専用チャネル(CELL_DCH)状態にある間に、ネットワークから再構成メッセージを受信するためのコードであって、前記再構成メッセージは、前記UEを、前記RCC状態のうちの前記CELL_DCH状態から非専用チャネル状態に遷移させるように構成される、コードと、
前記UEを、前記RRC状態のうちの前記CELL_DCH状態から、前記RRC状態のうちの前記非専用チャネル状態に遷移させる、前記受信された再構成メッセージに応答して、複数の肯定応答手順をアップリンク上で前記ネットワークに送るためのコードとを備え、
前記複数の肯定応答手順の数は、前記UEの以前のRRC状態遷移に少なくとも基づいて判断され、
前記複数の肯定応答手順の各々は状況パケットデータユニットを含み、前記状況パケットデータユニットは、前記ネットワークからの前記受信された再構成メッセージの肯定応答情報を含む、コンピュータ可読記憶媒体。
【請求項１２】
前記再構成メッセージは無線ベアラ再構成メッセージであり、前記RRC状態のうちの前記非専用チャネル状態は、セルフォワードアクセスチャネル状態である、請求項11に記載のコンピュータ可読記憶媒体。
【請求項１３】
複数の肯定応答手順をアップリンク上で前記ネットワークに送ることは、前記UEの速度および前記UEの現在サービング中のセルの搬送周波数に基づいて決定されるコヒーレンス時間に基づいて、前記複数の肯定応答手順を前記アップリンク上で前記ネットワークに送ることを含む、請求項11に記載のコンピュータ可読記憶媒体。
【請求項１４】
前記複数の肯定応答手順の数は、推定アップリンクブロックエラーレートに少なくとも基づいて判断される、請求項11に記載のコンピュータ可読記憶媒体。
【請求項１５】
前記ネットワークは高速パケットアクセスタイプシステムを含む、請求項11に記載のコンピュータ可読記憶媒体。
【手続補正書】
【提出日】平成30年1月11日(2018.1.11)
【手続補正１】
【補正対象書類名】特許請求の範囲
【補正対象項目名】全文
【補正方法】変更
【補正の内容】
【特許請求の範囲】
【請求項１】
高インスリン血症に関連した症状の治療を必要とする被験体において前記症状を治療するための医薬組成物であって、構造式ＶＩ：
【化１】
2017506666.tif 000001
（式中、
Ｘは、Ｎであり；
ＲＢは、メチル、エチル、ヒドロキシメチル、メトキシメチル、またはトリフルオロメチルであり；
ｍは２であり；
各ＲＡはメチルであり；
Ｌは、−ＣＯ−Ｎ（Ｒ９Ｒ１０）であり、式中、Ｒ９が、−（Ｃ０〜Ｃ６）アルキレン−ヘテロシクロアルキル、−（Ｃ０〜Ｃ６）アルキレン−アリール、または−（Ｃ０〜Ｃ６）アルキレン−ヘテロアリールであり、かつ−ヘテロシクロアルキル、−アリールおよび−ヘテロアリールがそれぞれ、１〜４個の（Ｃ１〜Ｃ４）アルキルで任意にかつ独立して置換されており、かつＲ１０が、Ｈまたは−（Ｃ１〜Ｃ６）アルキルであるか、あるいは
Ｌは、−ＣＯＯ−Ｒ’９であり、式中、Ｒ’９が独立して、−（Ｃ１〜Ｃ６）アルキル、−（Ｃ０〜Ｃ６）アルキレン−ヘテロシクロアルキル、−（Ｃ０〜Ｃ６）アルキレン−アリール、および−（Ｃ０〜Ｃ６）アルキレン−ヘテロアリールからなる群から選択され、かつ−（Ｃ１〜Ｃ６）アルキル、−ヘテロシクロアルキル、−アリールおよび−ヘテロアリールがそれぞれ、−Ｆ、−Ｃｌ、−Ｂｒ、および−（Ｃ１〜Ｃ６）アルキルからなる群から独立して選択される１〜４個の置換基で任意に置換され；
ＲＣは、−Ｆ、−Ｃｌ、−Ｂｒ、−ＯＨ、および−Ｏ−（Ｃ１〜Ｃ４）アルキルからなる群から選択される）
により示される化合物またはその薬学的に許容される塩を含む、医薬組成物。
【請求項２】
前記高インスリン血症に関連した症状が、インスリノーマ、先天性高インスリン症、多嚢胞性卵巣症候群、ベックウィズ・ヴィーデマン症候群、および胃バイパス手術後から選択される、請求項１に記載の医薬組成物。
【請求項３】
前記高インスリン血症に関連した症状がインスリノーマである、請求項１に記載の医薬組成物。
【請求項４】
Ｌが−ＣＯＯ−Ｒ９であり、かつＲ９が、メチル、エチル、プロピル、ｉ−プロピル、ブチル、ｓｅｃ−ブチル、ｔ−ブチル、およびトリフルオロメチルからなる群から選択される、請求項１に記載の医薬組成物。
【請求項５】
前記化合物が、下記の構造式：
【化２】
2017506666.tif 000002
により示されるか、またはその薬学的に許容される塩である、請求項１に記載の医薬組成物。
【請求項６】
前記高インスリン血症に関連した症状が、インスリノーマ、先天性高インスリン症、多嚢胞性卵巣症候群、ベックウィズ・ヴィーデマン症候群、および胃バイパス手術後から選択される、請求項５に記載の医薬組成物。
【請求項７】
前記化合物が、下記の構造式：
【化３】
2017506666.tif 000003
により示されるか、またはその薬学的に許容される塩である、請求項５に記載の医薬組成物。
【請求項８】
高インスリン血症に関連した症状の治療を必要とする被験体において前記症状を治療するための医薬組成物であって、下記の構造式：
【化４】
2017506666.tif 000004
により示される化合物あるいはその薬学的に許容される塩を含む、医薬組成物。
【請求項９】
前記高インスリン血症に関連した症状が、インスリノーマ、先天性高インスリン症、多嚢胞性卵巣症候群、ベックウィズ・ヴィーデマン症候群、および胃バイパス手術後から選択される、請求項８に記載の医薬組成物。
【請求項１０】
高インスリン血症に関連した症状の治療を必要とする被験体において前記症状を治療するための医薬組成物であって、下記の構造式：
【化５】
2017506666.tif 000005
により示される化合物あるいはその薬学的に許容される塩を含む、医薬組成物。
【請求項１１】
前記高インスリン血症に関連した症状が、インスリノーマ、先天性高インスリン症、多嚢胞性卵巣症候群、ベックウィズ・ヴィーデマン症候群、および胃バイパス手術後から選択される、請求項１０に記載の医薬組成物。
【請求項１２】
前記化合物が、下記の構造式：
【化６】
2017506666.tif 000006
により示されるか、あるいはその薬学的に許容される塩である、請求項１に記載の医薬組成物。
【請求項１３】
前記高インスリン血症に関連した症状が、インスリノーマ、先天性高インスリン症、多嚢胞性卵巣症候群、ベックウィズ・ヴィーデマン症候群、および胃バイパス手術後から選択される、請求項１２に記載の医薬組成物。
【請求項１４】
前記化合物が、下記の構造式：
【化７】
2017506666.tif 000007
により示されるか、あるいはその薬学的に許容される塩である、請求項１２に記載の医薬組成物。
【請求項１５】
前記高インスリン血症に関連した症状が、インスリノーマ、先天性高インスリン症、多嚢胞性卵巣症候群、ベックウィズ・ヴィーデマン症候群、および胃バイパス手術後から選択される、請求項１４に記載の医薬組成物。
【請求項１６】
前記高インスリン血症に関連した症状がインスリノーマである、請求項１４に記載の医薬組成物。
【請求項１７】
前記被験体が哺乳動物である、請求項１〜１６のいずれか一項に記載の医薬組成物。
【請求項１８】
前記被験体がヒトである、請求項１７に記載の医薬組成物。